(57)【要約】【課題】  映像メッセージが有するマルチメディアコンテンツとしての価値を有効に活用させる。【解決手段】  映像メッセージ送信支援装置１０は、発信側携帯電話機から送信された発信要求に基づいて、着信側携帯電話機に呼出信号を送信する。この呼出信号に対する応答が受信されないと判定した場合に、所定の映像メッセージを再生するか否かの判断を促す音声ガイダンスを発信側携帯電話機に送信する。この音声ガイダンスに対する応答が、映像メッセージを再生することを示す再生指示信号である場合に、通信回線を音声通信回線からテレビ電話回線に切り替えて、テレビ電話回線を用いて再生指示信号に対応する映像メッセージを発信側携帯電話機に送信する。送信した映像メッセージに対応させて予め設定された設定料金を、発信側携帯電話機に対して課金する。【選択図】  図２
2006109095.tif 000002
【特許請求の範囲】
【請求項１】
発信側移動通信端末から送信された発信要求に基づいて、着信側移動通信端末に呼出信号を送信する呼出信号送信手段と、
前記呼出信号送信手段により送信された前記呼出信号に対する応答を受信したか否かを判定する応答判定手段と、
前記応答判定手段により前記応答が受信されないと判定された場合に、所定の映像メッセージを再生するか否かの判断を促す音声ガイダンスを前記発信側移動通信端末に送信する音声ガイダンス送信手段と、
前記音声ガイダンス送信手段により送信された前記音声ガイダンスに対する応答が、前記映像メッセージを再生することを示す再生指示信号である場合に、通信回線を音声通信回線からテレビ電話回線に切り替える回線切替手段と、
前記回線切替手段により切り替えられたテレビ電話回線を用いて、前記再生指示信号に対応する前記映像メッセージを前記発信側移動通信端末に送信する映像メッセージ送信手段と、
前記映像メッセージ送信手段により送信された前記映像メッセージに対応させて予め設定された設定料金を、前記発信側移動通信端末に対して課金する課金手段と、
を備えることを特徴とする映像メッセージ送信支援装置。
【請求項２】
前記課金手段は、前記設定料金を、前記発信側移動通信端末の通話料金に加算するとともに、前記着信側移動通信端末の通話料金から減算することによって前記課金を行うことを特徴とする請求項１記載の映像メッセージ送信支援装置。
【請求項３】
前記映像メッセージを一意に特定するメッセージＩＤに対応させて、前記設定料金を記憶させる記憶手段をさらに備え、
前記課金手段は、前記映像メッセージ送信手段により送信された前記映像メッセージに対応する前記メッセージＩＤに基づいて、前記記憶手段により記憶された前記設定料金を抽出することを特徴とする請求項１または２に記載の映像メッセージ送信支援装置。
【請求項４】
前記記憶手段は、前記メッセージＩＤに対応させて、前記映像メッセージが課金の対象であるか否かを示す課金対象情報をさらに記憶させ、
前記課金手段は、前記映像メッセージ送信手段により送信された前記映像メッセージに対応する前記メッセージＩＤに基づいて、前記記憶手段により記憶された前記課金対象情報を抽出し、当該抽出した前記課金対象情報が課金の対象であることを示す場合に、前記設定料金を前記課金の対象にすることを特徴とする請求項３記載の映像メッセージ送信支援装置。
【請求項５】
前記映像メッセージが、前記発信側携帯電話機に対応して一または複数設定されていることを特徴とする請求項１〜４のいずれか１項に記載の映像メッセージ送信支援装置。
【請求項６】
前記設定料金が、前記発信側携帯電話機ごとに設定されていることを特徴とする請求項１〜５のいずれか１項に記載の映像メッセージ送信支援装置。
【請求項７】
発信側移動通信端末から送信された発信要求に基づいて、着信側移動通信端末に呼出信号を送信する呼出信号送信ステップと、
前記呼出信号送信ステップにおいて送信された前記呼出信号に対する応答を受信したか否かを判定する応答判定ステップと、
前記応答判定ステップにおいて前記応答が受信されないと判定された場合に、所定の映像メッセージを再生するか否かの判断を促す音声ガイダンスを前記発信側移動通信端末に送信する音声ガイダンス送信ステップと、
前記音声ガイダンス送信ステップにおいて送信された前記音声ガイダンスに対する応答が、前記映像メッセージを再生することを示す再生指示信号である場合に、通信回線を音声通信回線からテレビ電話回線に切り替える回線切替ステップと、
前記回線切替ステップにおいて切り替えられたテレビ電話回線を用いて、前記再生指示信号に対応する前記映像メッセージを前記発信側移動通信端末に送信する映像メッセージ送信ステップと、
前記映像メッセージ送信ステップにおいて送信された前記映像メッセージに対応させて予め設定された設定料金を、前記発信側移動通信端末に対して課金する課金ステップと、
を備えることを特徴とする映像メッセージ送信支援方法。
【請求項８】
通信の発信元から送信された発信要求に対応する呼出信号を通信ネットワークから受信した場合に、所定の映像メッセージを再生するか否かの判断を促す音声ガイダンスを前記発信元に送信する音声ガイダンス送信手段と、
前記音声ガイダンス送信手段により送信された前記音声ガイダンスに対する応答が、前記映像メッセージを再生することを示す再生指示信号である場合に、前記通信ネットワークにおける通信回線を音声通信回線からテレビ電話回線に切り替えさせるための回線切換指示信号を、前記通信ネットワークに送信する回線切替指示送信手段と、
前記回線切換指示信号に基づいて切り替えられたテレビ電話回線を用いて前記映像メッセージを前記発信元に送信する映像メッセージ送信手段と、
前記映像メッセージ送信手段により送信された前記映像メッセージに対応させて予め設定された設定料金を前記発信元に対して課金させるための課金情報を、生成する課金情報生成手段と、
前記課金情報生成手段により生成された前記課金情報を前記通信ネットワークに送信する課金情報送信手段と、
を備えることを特徴とする移動通信端末。
【発明の詳細な説明】
【技術分野】
【０００１】
本発明は、映像メッセージ送信支援装置、映像メッセージ送信支援方法および移動通信端末に関する。
【背景技術】
【０００２】
下記特許文献１には、留守番電話機の留守応答時の機能として、発信者ごとに異なる音声メッセージを送信するための技術が開示されている。この技術によって特定の発信者ごとに特別な応答メッセージを送信することが可能となる。ところで、この特許文献１には、音声メッセージの送信に対する課金については何も記載されていない。しかしながら、一般的には、音声メッセージが送信された間に発生した通話料金が、発信者に対して課金されることになる。すなわち、発信者には、音声メッセージの内容にかかわらず、音声メッセージの送信時間に対してのみ通話料金が課金されることとなる。また、最近は、音声と同時に画像を送受信することのできるテレビ電話が開発されており、このようなテレビ電話間では、音声を含む映像メッセージのやりとりを行うことができる。したがって、テレビ電話間における留守応答時に映像メッセージを送信することも可能である。
【特許文献１】特開２０００−３２１２３号公報
【発明の開示】
【発明が解決しようとする課題】
【０００３】
ところで、映像メッセージの中には、マルチメディアコンテンツとしての価値を有するものがある。したがって、映像メッセージを留守応答時の応答メッセージとして送信する場合に、従来のように送信時間に対してのみ課金するのでは、マルチメディアコンテンツとしての価値が全く生かされないこととなる。
【０００４】
そこで、本発明は、上述した課題を解決するために、映像メッセージが有するマルチメディアコンテンツとしての価値を有効に活用させることができる映像メッセージ送信支援装置、映像メッセージ送信支援方法および移動通信端末を提供することを目的とする。
【課題を解決するための手段】
【０００５】
本発明の映像メッセージ送信支援装置は、発信側移動通信端末から送信された発信要求に基づいて、着信側移動通信端末に呼出信号を送信する呼出信号送信手段と、呼出信号送信手段により送信された呼出信号に対する応答を受信したか否かを判定する応答判定手段と、応答判定手段により応答が受信されないと判定された場合に、所定の映像メッセージを再生するか否かの判断を促す音声ガイダンスを発信側移動通信端末に送信する音声ガイダンス送信手段と、音声ガイダンス送信手段により送信された音声ガイダンスに対する応答が、映像メッセージを再生することを示す再生指示信号である場合に、通信回線を音声通信回線からテレビ電話回線に切り替える回線切替手段と、回線切替手段により切り替えられたテレビ電話回線を用いて、再生指示信号に対応する映像メッセージを発信側移動通信端末に送信する映像メッセージ送信手段と、映像メッセージ送信手段により送信された映像メッセージに対応させて予め設定された設定料金を、発信側移動通信端末に対して課金する課金手段と、を備えることを特徴とする。
【０００６】
また、本発明の映像メッセージ送信支援方法は、発信側移動通信端末から送信された発信要求に基づいて、着信側移動通信端末に呼出信号を送信する呼出信号送信ステップと、呼出信号送信ステップにおいて送信された呼出信号に対する応答を受信したか否かを判定する応答判定ステップと、応答判定ステップにおいて応答が受信されないと判定された場合に、所定の映像メッセージを再生するか否かの判断を促す音声ガイダンスを発信側移動通信端末に送信する音声ガイダンス送信ステップと、音声ガイダンス送信ステップにおいて送信された音声ガイダンスに対する応答が、映像メッセージを再生することを示す再生指示信号である場合に、通信回線を音声通信回線からテレビ電話回線に切り替える回線切替ステップと、回線切替ステップにおいて切り替えられたテレビ電話回線を用いて、再生指示信号に対応する映像メッセージを発信側移動通信端末に送信する映像メッセージ送信ステップと、映像メッセージ送信ステップにおいて送信された映像メッセージに対応させて予め設定された設定料金を、発信側移動通信端末に対して課金する課金ステップと、を備えることを特徴とする。
【０００７】
これらの発明によれば、呼出信号を送信した着信側移動通信端末から応答が無いと判定した場合に、映像メッセージを再生するか否かの判断を促す音声ガイダンスを発信側移動通信端末に送信することができる。これにより、発信側移動通信端末から、映像メッセージを再生することを示す再生指示信号を取得することが可能となる。また、通信回線を音声通信回線からテレビ電話回線に切り替えさせることができるため、このテレビ電話回線を用いて、再生指示信号において指定された映像メッセージを発信側移動通信端末に送信することができる。さらに、予め映像メッセージに対応させて設定された料金を、発信側移動通信端末に送信した映像メッセージに対する料金として、発信側移動通信端末に課金することができる。したがって、発信側移動通信端末のユーザから同意を得た上で、映像メッセージに対する対価を徴収することができる。ひいては、映像メッセージが有するマルチメディアコンテンツとしての価値を有効に活用させることができる。
【０００８】
本発明の映像メッセージ送信支援装置において、上記課金手段は、設定料金を、発信側移動通信端末の通話料金に加算するとともに、着信側移動通信端末の通話料金から減算することによって上記課金を行うことが好ましい。
【０００９】
このようにすれば、映像メッセージを電子商取引の一商品として積極的に取り扱わせることが可能となり、映像メッセージが有するマルチメディアコンテンツとしての価値を、より有効に活用させることができる。
【００１０】
本発明の映像メッセージ送信支援装置において、映像メッセージを一意に特定するメッセージＩＤに対応させて、設定料金を記憶させる記憶手段をさらに備え、課金手段は、映像メッセージ送信手段により送信された映像メッセージに対応するメッセージＩＤに基づいて、記憶手段により記憶された設定料金を抽出させることが好ましい。
【００１１】
このようにすれば、メッセージＩＤを用いて設定料金を管理することができるため、やりとりする情報にメッセージＩＤを含めることで容易に映像メッセージの料金を認識させることができる。
【００１２】
本発明の映像メッセージ送信支援装置において、上記記憶手段は、メッセージＩＤに対応させて、映像メッセージが課金の対象であるか否かを示す課金対象情報をさらに記憶させ、課金手段は、映像メッセージ送信手段により送信された映像メッセージに対応するメッセージＩＤに基づいて、記憶手段により記憶された課金対象情報を抽出し、当該抽出した課金対象情報が課金の対象であることを示す場合に、上記設定料金を課金の対象にすることが好ましい。
【００１３】
このようにすれば、映像メッセージを提供する着信側ユーザの意志に基づいて映像メッセージに対する課金の有無が決定されるため、着信側ユーザは、課金の無い映像メッセージについても気軽に提供することが可能となり、映像メッセージのやりとりを促進させることができる。
【００１４】
本発明の映像メッセージ送信支援装置において、映像メッセージを、発信側携帯電話機に対応させて一または複数設定することが好ましい。このようにすれば、発信側ユーザに応じた映像メッセージを提供することが可能となる。
【００１５】
本発明の映像メッセージ送信支援装置において、設定料金を、発信側携帯電話機ごとに設定することが好ましい。このようにすれば、発信側ユーザに応じて設定された料金を課金することが可能となる。
【００１６】
本発明の移動通信端末は、通信の発信元から送信された発信要求に対応する呼出信号を通信ネットワークから受信した場合に、所定の映像メッセージを再生するか否かの判断を促す音声ガイダンスを発信元に送信する音声ガイダンス送信手段と、音声ガイダンス送信手段により送信された音声ガイダンスに対する応答が、映像メッセージを再生することを示す再生指示信号である場合に、通信ネットワークにおける通信回線を音声通信回線からテレビ電話回線に切り替えさせるための回線切換指示信号を、通信ネットワークに送信する回線切替指示送信手段と、回線切換指示信号に基づいて切り替えられたテレビ電話回線を用いて映像メッセージを発信元に送信する映像メッセージ送信手段と、映像メッセージ送信手段により送信された映像メッセージに対応させて予め設定された設定料金を発信元に対して課金させるための課金情報を生成する課金情報生成手段と、課金情報生成手段により生成された課金情報を通信ネットワークに送信する課金情報送信手段と、を備えることを特徴とする。
【００１７】
この発明によれば、通信ネットワークから呼出信号を受信した場合に、映像メッセージを再生するか否かの判断を促す音声ガイダンスを発信元に送信することができる。これにより、発信元から、映像メッセージを再生することを示す再生指示信号を取得することが可能となる。また、通信回線を音声通信回線からテレビ電話回線に切り替えさせるための回線切換指示信号を通信ネットワークに対して送信することができるため、切り替えられたテレビ電話回線を用いて、再生指示信号において指定された映像メッセージを発信元に送信することができる。さらに、予め映像メッセージに対応させて設定された料金を、発信元に送信した映像メッセージに対する料金として発信元に課金させるための課金情報を生成し、通信ネットワークに送信することができる。したがって、発信元から同意を得た上で、映像メッセージに対する対価を徴収させることができる。ひいては、映像メッセージが有するマルチメディアコンテンツとしての価値を有効に活用させることができる。
【発明の効果】
【００１８】
本発明に係る映像メッセージ送信支援装置、映像メッセージ送信支援方法および移動通信端末によれば、映像メッセージが有するマルチメディアコンテンツとしての価値を有効に活用させることができる。
【発明を実施するための最良の形態】
【００１９】
以下、本発明に係る映像メッセージ送信支援装置、映像メッセージ送信支援方法および移動通信端末の実施形態を図面に基づき説明する。なお、各図において、同一要素には同一符号を付して重複する説明を省略する。
【００２０】
[第１実施形態]
まず、本発明の第１実施形態について説明する。図１は、第１実施形態における通信システム１の構成を例示する図である。図１に示すように、通信システム１は、映像メッセージ送信支援装置１０と、発信側および着信側の携帯電話機２０（移動通信端末）とを有する。
【００２１】
映像メッセージ送信支援装置１０は、基地局および交換機を含んで構成される移動体通信網の交換機に備えられる装置である。したがって、発信側携帯電話機２０と着信側携帯電話機２０は、移動体通信網に含まれる映像メッセージ送信支援装置１０を介して接続される。
【００２２】
携帯電話機２０は、自機が在圏する無線エリアをカバーする基地局と無線通信を行い、移動体通信網による通話サービスあるいはパケット通信サービスを享受する移動通信端末である。また、携帯電話機２０は、テレビ電話機能を搭載しており、音声を含む映像データを映像メッセージとして送受信することができる。この映像メッセージは、例えば、ＡＶＩ（Audio Visual Interleaving）形式、ＭＰＥＧ−４（Moving Picture Experts Group phrase 4）形式等のファイルに格納される。
【００２３】
なお、本実施形態における通信システム１では、移動通信端末の具体例として携帯電話機２０を用いて説明しているが、移動通信端末の具体例はこれに限られず、例えば、テレビ電話機能を有する簡易型携帯電話機（ＰＨＳ）や携帯型情報端末（ＰＤＡ）等の移動通信端末であってもよい。
【００２４】
次に、図２を参照して映像メッセージ送信支援装置１０の機能構成について説明する。図２に示すように、映像メッセージ送信支援装置１０は、発信要求受信部１１（発信要求受信手段）と、呼出信号送信部１２（呼出信号送信手段）と、応答判定部１３（応答判定手段）と、音声ガイダンス送信部１４（音声ガイダンス送信手段）と、回線切替部１５（回線切替手段）と、映像メッセージ送信部１６（映像メッセージ送信手段）と、課金部１７（課金手段）とを有する。また、映像メッセージ送信支援装置１０は、上記各機能により参照される映像メッセージデータベース１Ａ（記憶手段）と、送信許容情報データベース１Ｂ（記憶手段）とを有する。
【００２５】
ここで、図３を参照して、映像メッセージデータベース１Ａのデータ構成について説明する。映像メッセージデータベース１Ａは、映像メッセージに関する情報（以下、映像メッセージ情報と記載する）を格納するデータベースであり、データ項目として、例えば、メッセージＮＯ、タイトル、ファイル名、送信制限、課金（課金対象情報）、課金方式、単位時間、単位料金を有する。メッセージＮＯには、例えば“０００１”や“０００２”のように、映像メッセージを一意に特定するための番号が格納される。タイトルには、例えば、“今日のトピックス”や“明日の特売品”のように、映像メッセージの題目が格納される。ファイル名には、例えば、“風景.mp4”や“特売１.avi”のように映像メッセージが納められたファイル名が格納される、送信制限には、例えば、“有”や“無”のように映像メッセージの送信先に制限があるか否かを示す情報が格納される。課金には、例えば、“有”や“無”のように、映像メッセージが課金の対象であるか否かを示す情報が格納される。課金方式には、例えば、“時間”や“メッセージ”のように、課金する際の単位が時間単位なのかメッセージ単位なのかを示す情報が格納される。単位時間には、例えば、“１５秒”のように、時間単位に課金する場合の単位時間が格納される。単位料金には、例えば、“１０円”のように、単位時間ごとまたはメッセージ単位に計上される料金が格納される。
【００２６】
次に、図４を参照して、送信許容情報データベース１Ｂのデータ構成について説明する。送信許容情報データベース１Ｂには、上述した映像メッセージデータベース１Ａの送信制限に“有”が格納されている場合、すなわち、映像メッセージの送信先が制限されている場合に、この映像メッセージの送信が許容された送信先に関する情報（以下、送信許容情報と記載する）が格納される。送信許容情報データベース１Ｂは、データ項目として、例えば、メッセージＮＯ、送信許容番号、課金（課金対象情報）、課金方式、単位時間、単位料金を有する。送信許容番号には、例えば“０９０２２２２４４４４”のように、映像メッセージの送信が許容されている電話番号が格納される。メッセージＮＯ、課金、課金方式、単位時間、単位料金については、上述した映像メッセージデータベース１Ａの各データ項目と同様であるため、その説明を省略する。なお、メッセージＮＯごとに設定できる送信制限数は、予めシステム管理側で設定することとしてもよいし、ユーザ側で任意に設定することとしてもよい。
【００２７】
このような送信許容情報データベース１Ｂを備えることによって、送信が許容されたユーザごとに課金の有無や料金を設定することができるため、ユーザとの親密度等に応じて料金を設定することが可能となる。したがって、例えば、仲の良い友人や、お得意さま（優良顧客）に対しては、映像メッセージを無料で提供することや低料金で提供することができる。
【００２８】
また、送信許容情報データベース１Ｂにおいては、発信側の電話番号を送信許容電話番号として、複数のメッセージＩＤに対して設定することができる（すなわち、発信側の電話番号に対応させて複数の映像メッセージを設定することができる）ため、発信側ユーザに応じた映像メッセージを提供することが可能となる。なお、図４に示す送信許容番号に設定された携帯電話機２０には、送信許容番号に対応する映像メッセージと、図３に示す送信制限が“無”に設定されている映像メッセージとが受信可能な映像メッセージとしてガイダンスされる。ただし、送信制限が“無” に設定されている映像メッセージを、ガイダンスの対象から除外することとしてもよい。
【００２９】
図２に示す発信要求受信部１１は、発信側携帯電話機２０から着信側携帯電話機２０に対して発信された発信要求を受信する。呼出信号送信部１２は、発信要求受信部１１により受信された発信要求に基づいて、着信側携帯電話機２０に呼出信号を送信する。
【００３０】
応答判定部１３は、呼出信号送信部１２により送信された呼出信号に対する応答を受信したか否かを判定する。具体的に説明すると、応答判定部１３は、例えば、呼出信号が送信されてから所定の時間が経過した場合には、呼出信号に対する応答を受信しなかったと判定する。なお、この所定の時間は、着信側携帯電話機２０ごとに任意に設定することができる。
【００３１】
音声ガイダンス送信部１４は、応答判定部１３により呼出信号に対する応答が受信されなかったと判定された場合に、着信側のユーザによって予め登録された映像メッセージを再生するか否かの判断を促す音声ガイダンスを、発信側携帯電話機２０に送信する。なお、音声ガイダンス送信部１４により送信される音声ガイダンスは、移動体通信網側で予め何種類か用意しておき、着信側携帯電話機２０ごとに適用する音声ガイダンスを任意に選択することができる。
【００３２】
ここで、音声ガイダンス送信部１４により送信される音声ガイダンスの一例を以下に記載する。まず、最初に「ただいま電話に出ることができません。お客様に残された映像メッセージがあります。この映像メッセージを視聴しますか？視聴する場合には“１”を、視聴しない場合には“２”を押してください。」という音声ガイダンスが送信される。この音声ガイダンスに対して“２”が押下された場合には、音声ガイダンスが終了する。一方“１”が押下された場合には、「映像メッセージが○種類あります。希望する映像メッセージを“１”〜“○”を押して選択してください。」という音声ガイダンスが送信される。この音声ガイダンスに対して、“１”〜“○”のいずれかのボタンが押下された場合には、選択された映像メッセージが課金の対象であるか否かにより以下のような音声ガイダンスが送信される。まず、選択された映像メッセージが課金の対象外である場合には「この映像メッセージは無料です。通話料のみ発生します。再生時間は約３０秒です。よろしければ“１”を、不要なら“２”を押してください。」という音声ガイダンスが送信される。また、選択された映像メッセージが課金の対象である場合には「この映像メッセージは、１５秒あたり１０円の料金が発生します。これとは別に通話料も発生します。再生時間は約２分です。よろしければ“１”を、不要なら“２”を押してください。」という音声ガイダンスが送信される。この音声ガイダンスに対して、“１”が押下された場合には、後述する再生指示信号が、発信側携帯電話機２０から送信されることとなる。
【００３３】
回線切替部１５は、音声ガイダンス送信部１４により送信された音声ガイダンスに対する応答が、所定の映像メッセージを再生することを指示する再生指示信号である場合に、発信側携帯電話機２０との間で使用されている通信回線を音声通信回線からテレビ電話回線に切り替える。
【００３４】
映像メッセージ送信部１６は、回線切替部１５により切り替えられたテレビ電話回線を用いて、再生指示信号で指示された所定の映像メッセージを発信側携帯電話機２０に送信する。
【００３５】
課金部１７は、映像メッセージ送信部１６により送信された映像メッセージに対応して予め記憶されている料金を、発信側携帯電話機２０に対して課金する。ここで、上述した図３を参照して、課金部１７が課金する際の処理手順について説明する。まず、課金部１７は、映像メッセージ送信部１６により送信された映像メッセージが課金の対象であるか否かを判定する。具体的に説明すると、課金部１７は、再生指示信号に含まれるメッセージＮＯに基づいて、図３に示す映像メッセージデータベース１Ａから課金の有無を示す情報を抽出することによって、課金の対象であるか否かを判定する。例えば、図３に示すメッセージＮＯが“０００２”である場合には、図３に示す課金に“有”が格納されているため、課金の対象であると判定する。この場合に、課金部１７は、図３に示す課金方式、単位時間および単位料金に基づいて、発信側携帯電話機２０において視聴された映像メッセージに対する対価を、１５秒あたり１０円の単位料金により算出する。課金部１７は、算出した対価を課金料金として、発信側携帯電話機２０の通話料金に計上する。一方、課金部１７は、発信側携帯電話機２０の通信料金に計上した課金料金を、着信側携帯電話機２０の通話料金から差し引く。これにより、マルチメディアコンテンツとしての価値を有する映像メッセージを提供した着信側ユーザに対して、映像メッセージが有する価値に見合った対価を還元させることが可能となる。
【００３６】
なお、図３に示すメッセージＮＯが“０００１”に対応する課金には、課金の有無が入力されていない。これは、メッセージＮＯが“０００１”である映像メッセージは、図３に示す送信制限が“有”に設定されており、送信が許容された許容者ごとに課金の有無を設定できることとしたためである。したがって、メッセージＮＯが“０００１”である映像メッセージに対する課金の有無は、図４に示す送信許容情報データベース１Ｂにおいて、送信許容番号ごとに設定されている。すなわち、図３に示す送信制限が“有”に設定されている映像メッセージの課金の有無は、メッセージＮＯおよび発信側携帯電話機２０の電話番号に基づいて、図４に示す送信許容情報データベース１Ｂを参照することにより認識することができる。
【００３７】
次に、図５を参照して第１実施形態における通信システム１の動作について説明する。
【００３８】
まず、発信側携帯電話機２０は、発信側ユーザの操作指示にしたがって、着信側携帯電話機２０に対する発信要求を送信する（ステップＳ１）。これにより、映像メッセージ送信支援装置１０の発信要求受信部１１は、発信要求を受信する。
【００３９】
次に、映像メッセージ送信支援装置１０の呼出信号送信部１２は、発信要求受信部１１により受信された発信要求に基づいて、着信側携帯電話機２０に呼出信号を送信する（ステップＳ２）。
【００４０】
次に、映像メッセージ送信支援装置１０の応答判定部１３は、呼出信号送信部１２により送信された呼出信号に対する応答を受信したか否かを判定する（ステップＳ３）。この判定で応答を受信したと判定された場合に、映像メッセージ送信支援装置１０は、発信側携帯電話機２０と着信側携帯電話機２０との間の音声通信回線の接続を確立させる。
【００４１】
一方、ステップＳ３における判定で、呼出信号に対する応答を受信しなかったと判定された場合（ステップＳ３；ＮＯ）に、映像メッセージ送信支援装置１０の音声ガイダンス送信部１４は、着信側のユーザによって予め登録された映像メッセージを再生するか否かの判断を促す音声ガイダンスを、発信側携帯電話機２０に送信する（ステップＳ４）。
【００４２】
次に、発信側携帯電話機２０は、発信側ユーザの操作指示にしたがって、所望の映像メッセージを再生することを指示する再生指示信号を映像メッセージ送信支援装置１０に送信する（ステップＳ５）。これにより、映像メッセージ送信支援装置１０は、発信側携帯電話機２０から送信された再生指示信号を、音声ガイダンスに対する応答として受信する。
【００４３】
次に、映像メッセージ送信支援装置１０の回線切替部１５は、発信側携帯電話機２０との間で使用されている通信回線を音声通信回線からテレビ電話回線に切り替える（ステップＳ６）。
【００４４】
次に、映像メッセージ送信支援装置１０の映像メッセージ送信部１６は、回線切替部１５により切り替えられたテレビ電話回線を用いて、再生指示信号において指示された映像メッセージを発信側携帯電話機２０に送信する（ステップＳ７）。これにより、発信側携帯電話機２０のディスプレイに映像メッセージが表示され、発信側ユーザは、着信側ユーザにより提供された映像メッセージを視聴することができる。
【００４５】
次に、映像メッセージ送信支援装置１０の課金部１７は、再生指示信号に含まれるメッセージＮＯに基づいて、映像メッセージデータベース１Ａを参照し、当該メッセージＮＯに対応する映像メッセージ情報を抽出する。そして、この抽出した映像メッセージ情報に基づいて、映像メッセージが課金の対象であるか否かを判定する（ステップＳ８）。この判定で課金の対象外であると判定された場合に、映像メッセージ送信支援装置１０は、発信側携帯電話機２０に対して、映像メッセージの送信に要した通話料金のみを課金する。
【００４６】
一方、ステップＳ８における判定で、映像メッセージが課金の対象であると判定された場合（ステップＳ８；ＹＥＳ）に、課金部１７は、課金処理を行う（ステップＳ９）。この課金処理は以下のように行われる。まず、課金部１７は、ステップＳ８において抽出した映像メッセージ情報（課金方式、単位時間および単位料金）に基づいて、発信側携帯電話機２０において視聴された映像メッセージに対する対価を算出する。そして、算出した対価を課金対象料金として、発信側携帯電話機２０の通話料金に計上する。一方、着信側携帯電話機２０の通話料金から、課金対象料金分の料金を差し引く。
【００４７】
上述した第１実施形態における通信システム１によれば、映像メッセージ送信支援装置１０が、発信要求受信部１１、呼出信号送信部１２、応答判定部１３および音声ガイダンス送信部１４を備えることにより、呼出信号を送信した着信側携帯電話機２０から応答が無いと判定した場合に、映像メッセージを再生するか否かの判断を促す音声ガイダンスを発信側携帯電話機２０に対して送信することができる。これにより、発信側携帯電話機２０から、映像メッセージを再生することを示す再生指示信号を取得することができる。
【００４８】
また、映像メッセージ送信支援装置１０が、回線切替部１５および映像メッセージ送信部１６を備えることにより、通信回線を音声通信回線からテレビ電話回線に切り替えることができ、切り替えたテレビ電話回線を用いて、再生指示信号において指定された映像メッセージを発信側携帯電話機２０に対して送信することができる。
【００４９】
さらに、映像メッセージ送信支援装置１０が課金部１７を備えることにより、予め映像メッセージに対応させて設定された料金を、発信側携帯電話機２０に送信した映像メッセージに対する料金として、発信側携帯電話機２０に課金することができる。
【００５０】
したがって、第１実施形態における通信システム１によれば、発信側携帯電話機２０のユーザから同意を得た上で、映像メッセージに対する対価を徴収することができる。すなわち、映像メッセージが有するマルチメディアコンテンツとしての価値を有効に活用させることができる。
【００５１】
また、課金部１７が、課金を行う際に、課金の対象となる映像メッセージの料金を、発信側携帯電話機２０の通話料金に加算するとともに、着信側携帯電話機２０の通話料金から減算するため、映像メッセージを電子商取引の一商品として積極的に取り扱わせることが可能となり、映像メッセージが有するマルチメディアコンテンツとしての価値を、より有効に活用させることができる。
【００５２】
また、映像メッセージデータベース１Ａおよび送信許容情報データベース１Ｂにおいて、映像メッセージを一意に特定するメッセージＩＤに対応させて設定料金が記憶されているため、メッセージＩＤを用いて設定料金を管理することができる。すなわち、通信システム１においてやりとりされている情報にメッセージＩＤを含めることで容易に映像メッセージの料金を認識させることができる。
【００５３】
また、課金部１７が、映像メッセージデータベース１Ａおよび送信許容情報データベース１Ｂにおいて、課金の対象として登録されている映像メッセージのみを課金処理の対象とするため、映像メッセージを提供する着信側ユーザの意志に基づいて映像メッセージに対する課金の有無が決定される。したがって、着信側ユーザは、課金の無い映像メッセージについても気軽に提供することが可能となり、映像メッセージのやりとりを促進させることができる。
【００５４】
[第２実施形態]
次に、本発明の第２実施形態について説明する。まず、図６を参照して第２実施形態における通信システムの構成について説明する。図６に示すように、第２実施形態における通信システム２は、発信側および着信側の携帯電話機５０（移動通信端末）と、移動体通信網６０（通信ネットワーク）とを有する。
【００５５】
携帯電話機５０の基本構成（機能構成を除く）は、第１実施形態における携帯電話機２０と同様であるため、その説明を省略する。なお、携帯電話機５０の機能構成については後述する。また、移動体通信網６０は、基地局および交換機を含んで構成される通信ネットワークである。
【００５６】
第２実施形態における通信システム２が、第１実施形態における通信システム１と異なる点は、第１実施形態における通信システム１では、発信側携帯電話機２０に対して送信される映像メッセージが移動体通信網の映像メッセージ送信支援装置１０に格納されていたのに対し、第２実施形態における通信システム２では、当該映像メッセージが着信側携帯電話機５０に格納されている点である。これにより、第２実施形態における携帯電話機５０の機能構成と第１実施形態における携帯電話機２０の機能構成が相違することになる。以下において、第２実施形態における携帯電話機５０の機能構成について、図７を参照して説明する。
【００５７】
図７に示すように、携帯電話機５０は、着信側の携帯電話機５０として機能する着信側機能５１と、発信側の携帯電話機５０（通信の発信元）として機能する発信側機能５２とに大別される。また、携帯電話機５０は、着信側機能５１によって用いられる映像メッセージデータベース５Ａと、アドレス帳情報データベース５Ｂとを有する。なお、映像メッセージデータベース５Ａは、第１実施形態における映像メッセージデータベース１Ａとデータ構成が同様であるため、その説明を省略する。
【００５８】
ここで、図８を参照して、アドレス帳情報データベース５Ｂのデータ構成について説明する。アドレス帳情報データベース５Ｂには、携帯電話機５０のアドレス帳に登録されている電話番号ごとに、その電話番号を有する発信側に対して送信可能な映像メッセージ、および当該映像メッセージを送信した場合の課金に関する情報が格納される。具体的に説明すると、アドレス帳情報データベース５Ｂは、データ項目として、例えば、電話番号、氏名、メッセージＮＯ、課金（課金対象情報）、課金方式、単位時間、単位料金を有する。電話番号および氏名には、アドレス帳のデータとして入力された電話番号および氏名が格納される。メッセージＮＯ、課金、課金方式、単位時間、単位料金については、上述した第１実施形態における映像メッセージデータベース１Ａの各データ項目と同様であるため、その説明を省略する。なお、映像メッセージデータベース５Ａの送信制限に“有”が格納されているメッセージＮＯに関しては、予め設定された送信制限数までは、アドレス帳情報データベース５Ｂに登録することができる。この送信制限数は、予めシステム管理側で設定することとしてもよいし、ユーザ側で任意に設定することとしてもよい。
【００５９】
図７に示す着信側機能５１は、呼出信号受信部５１１（呼出信号受信手段）と、音声ガイダンス送信部５１２（音声ガイダンス送信手段）と、回線切替指示送信部５１３（回線切替指示送信手段）と、映像メッセージ送信部５１４（映像メッセージ送信手段）と、課金情報生成部５１５（課金情報生成手段）と、課金情報送信部５１６（課金情報送信手段）とを有する。
【００６０】
呼出信号受信部５１１は、発信側携帯電話機５０から発信された発信要求に対応する呼出信号を移動体通信網６０から受信する。
【００６１】
音声ガイダンス送信部５１２は、呼出信号受信部５１１により呼出信号が受信された場合に、着信側のユーザによって予め登録された映像メッセージを再生するか否かの判断を促す音声ガイダンスを、発信側携帯電話機５０に送信する。なお、音声ガイダンスの内容等については、第１実施形態と同様であるため、その説明を省略する。
【００６２】
回線切替指示送信部５１３は、音声ガイダンス送信部５１２により送信された音声ガイダンスに対する応答が、所定の映像メッセージを再生することを示す再生指示信号である場合に、発信側携帯電話機２０との間で使用されている通信回線を音声通信回線からテレビ電話回線に切り替えるように指示する回線切換指示信号を移動体通信網６０に送信する。
【００６３】
映像メッセージ送信部５１４は、回線切換指示信号を受信した移動体通信網６０によって切り替えられたテレビ電話回線を用いて、再生指示信号に対応する映像メッセージを発信側携帯電話機５０に送信する。
【００６４】
課金情報生成部５１５は、映像メッセージ送信部５１４により送信された映像メッセージに対応する料金を発信側携帯電話機５０に対して課金させるための課金情報を生成する。ここで、上述した図３を参照して、課金情報を生成する際の処理手順について説明する。まず、課金情報生成部５１５は、映像メッセージ送信部５１４により送信された映像メッセージが課金の対象であるか否かを判定する。具体的に説明すると、課金情報生成部５１５は、再生指示信号に含まれるメッセージＮＯに基づいて、図３に示す映像メッセージデータベース５Ａから課金の有無を抽出することによって、課金の対象であるか否かを判定する。例えば、図３に示すメッセージＮＯが“０００２”である場合には、図３に示す課金に“有”が格納されているため、課金の対象であると判定する。この場合に、課金情報生成部５１５は、図３に示す課金方式、単位時間および単位料金に基づいて、課金情報を生成する。課金情報には、例えば、発信側携帯電話機５０の電話番号、課金方式、単位時間、単位料金が含まれる。
【００６５】
なお、図３に示すメッセージＮＯが“０００１”に対応する課金には、課金の有無が入力されていない。これは、第１実施形態と同様に、メッセージＮＯが“０００１”である映像メッセージは、図３に示す送信制限が“有”に設定されており、送信が許容された許容者ごとに課金の有無を設定できることとしたためである。したがって、第２実施形態において、図３に示す送信制限が“有”に設定されている映像メッセージの課金の有無を抽出するためには、メッセージＮＯおよび発信側携帯電話機５０の電話番号に基づいて、図８に示すアドレス帳情報データベース５Ｂを参照することになる。
【００６６】
課金情報送信部５１６は、課金情報生成部５１５により生成された課金情報を、移動体通信網６０に送信する。
【００６７】
図７に示す発信側機能５２は、発信要求送信部５２１（発信要求送信手段）と、音声ガイダンス受信部５２２（音声ガイダンス受信手段）と、再生指示送信部５２３（再生指示送信手段）と、映像メッセージ受信部５２４（映像メッセージ受信手段）とを有する。
【００６８】
発信要求送信部５２１は、着信側携帯電話機２０に対して発信要求を送信する。音声ガイダンス受信部５２２は、着信側携帯電話機２０から送信された音声ガイダンスを受信する。再生指示送信部５２３は、音声ガイダンス受信部５２２により受信された音声ガイダンスにしたがって、ユーザが所定の映像メッセージの再生を認可する指示入力をした場合に、当該映像メッセージの再生を指示する再生指示信号を着信側携帯電話機２０に送信する。映像メッセージ受信部５２４は、着信側携帯電話機２０から送信された映像メッセージを受信してディスプレイに表示する。
【００６９】
次に、図９を参照して移動体通信網６０の機能構成について説明する。図９に示すように、移動体通信網６０は、発信要求受信部６１（発信要求受信手段）と、呼出信号送信部６２（呼出信号送信手段）と、回線切替部６３（回線切替手段）と、課金部６４（課金手段）とを有する。
【００７０】
発信要求受信部６１は、発信側携帯電話機２０から着信側携帯電話機２０に対して発信された発信要求を受信する。呼出信号送信部６２は、発信要求受信部１１により受信された発信要求に基づいて、着信側携帯電話機２０に呼出信号を送信する。回線切替部６３は、発信側携帯電話機２０との間で使用されている通信回線を音声通信回線からテレビ電話回線に切り替える。
【００７１】
課金部６４は、着信側携帯電話機５０から送信された課金情報に基づいて、課金処理を行う。なお、課金処理については、第１実施形態において説明した課金部１７による課金処理（映像メッセージが課金の対象であると判定された後の課金処理）と同様であるため、その説明を省略する。
【００７２】
次に、図１０を参照して第２実施形態における通信システム２の動作について説明する。
【００７３】
まず、発信側携帯電話機５０の発信要求送信部５２１は、発信側ユーザの操作指示にしたがって、着信側携帯電話機２０に対する発信要求を送信する（ステップＳ５１）。
【００７４】
次に、移動体通信網６０の呼出信号送信部６２は、発信要求受信部６１により受信された発信要求に基づいて、着信側携帯電話機２０に呼出信号を送信する（ステップＳ５２）。
【００７５】
次に、発信側携帯電話機５０の音声ガイダンス送信部５１２は、呼出信号受信部５１１により呼出信号が受信された場合に、着信側のユーザによって予め登録された映像メッセージを再生するか否かの判断を促す音声ガイダンスを、発信側携帯電話機５０に送信する（ステップＳ５３）。
【００７６】
次に、発信側携帯電話機５０の再生指示送信部５２３は、音声ガイダンス受信部５２２により受信された音声ガイダンスにしたがって、ユーザが所定の映像メッセージの再生を認可する指示入力をした場合に、当該映像メッセージの再生を指示する再生指示信号を着信側携帯電話機２０に送信する（ステップＳ５４）。これにより、着信側携帯電話機５０は、発信側携帯電話機２０から送信された再生指示信号を、音声ガイダンスに対する応答として受信する。
【００７７】
次に、着信側携帯電話機５０の回線切替指示送信部５１３は、発信側携帯電話機２０との間で使用されている通信回線を音声通信回線からテレビ電話回線に切り替えるように指示する回線切換指示信号を移動体通信網６０に送信する（ステップＳ５５）。
【００７８】
次に、移動体通信網６０の回線切替部６３は、着信側携帯電話機５０と発信側携帯電話機２０との間で使用されている通信回線を音声通信回線からテレビ電話回線に切り替える（ステップＳ５６）。
【００７９】
次に、着信側携帯電話機５０の映像メッセージ送信部５１４は、移動体通信網６０によって切り替えられたテレビ電話回線を用いて、再生指示信号に対応する映像メッセージを発信側携帯電話機５０に送信する（ステップＳ５７）。
【００８０】
次に、着信側携帯電話機５０の課金情報生成部５１５は、再生指示信号に含まれるメッセージＮＯに基づいて、映像メッセージデータベース５Ａを参照し、当該メッセージＮＯに対応する映像メッセージ情報を抽出する。そして、この抽出した映像メッセージ情報に基づいて、映像メッセージが課金の対象であるか否かを判定する（ステップＳ５８）。この判定で課金の対象外であると判定された場合に、着信側携帯電話機５０は、回線切断要求を移動体通信網６０に送信する。
【００８１】
一方、ステップＳ５８における判定で、映像メッセージが課金の対象であると判定された場合（ステップＳ５８；ＹＥＳ）に、課金情報生成部５１５は、映像メッセージデータベース５Ａから抽出した映像メッセージ情報（課金方式、単位時間および単位料金）に基づいて、課金情報を生成する（ステップＳ５９）。
【００８２】
次に、着信側携帯電話機５０の課金情報送信部５１６は、課金情報生成部５１５により生成された課金情報を、移動体通信網６０に送信する（ステップＳ６０）。
【００８３】
移動体通信網６０の課金部６４は、着信側携帯電話機５０から受信した課金情報に基づいて、課金処理を行う（ステップＳ６１）。この課金処理は以下のように行われる。まず、課金部６４は、課金情報に基づいて、発信側携帯電話機２０において視聴された映像メッセージに対する対価を算出する。そして、算出した対価を課金対象料金として、発信側携帯電話機２０の通話料金に計上する。一方、着信側携帯電話機２０の通話料金から、課金対象料金分の料金を差し引く。
【００８４】
上述した第２実施形態における通信システム２によれば、携帯電話機５０が、呼出信号受信部５１１および音声ガイダンス送信部５１２を備えることにより、移動体通信網６０から呼出信号を受信した場合に、映像メッセージを再生するか否かの判断を促す音声ガイダンスを発信側携帯電話機５０に送信することができる。これにより、発信側携帯電話機５０から、映像メッセージを再生することを示す再生指示信号を取得することができる。
【００８５】
また、携帯電話機５０が、回線切替指示送信部５１３および映像メッセージ送信部５１４を備えることにより、通信回線を音声通信回線からテレビ電話回線に切り替えさせるための回線切換指示信号を移動体通信網６０に対して送信することが可能となり、切り替えられたテレビ電話回線を用いて、再生指示信号において指定された映像メッセージを発信側携帯電話機５０に送信することができる。
【００８６】
さらに、携帯電話機５０が、課金情報生成部５１５および課金情報送信部５１６を備えることにより、予め映像メッセージに対応させて設定された料金を、発信側携帯電話機５０に送信した映像メッセージに対する料金として、発信側携帯電話機５０に課金させるための課金情報を生成して移動体通信網６０に送信することができる。
【００８７】
したがって、第２実施形態における通信システム２によれば、発信側携帯電話機５０のユーザから同意を得た上で、映像メッセージに対する対価を徴収させることが可能となる。すなわち、映像メッセージが有するマルチメディアコンテンツとしての価値を有効に活用させることができる。
【００８８】
なお、上述した第２実施形態においては、映像メッセージデータベース５Ａおよびアドレス帳情報データベース５Ｂに登録された情報を、携帯電話機５０のみで管理しているが、これに限られず、例えば、映像メッセージデータベース５Ａおよびアドレス帳情報データベース５Ｂに登録された情報を、移動体通信網６０にアップロードして、同期をとるようにしてもよい。この場合には、着信側携帯電話機５０の課金情報生成部５１５が、発信側携帯電話機５０の電話番号およびメッセージＮＯを含む課金情報を生成し、課金情報送信部５１６が、当該生成された課金情報を移動体通信網６０に送信すればよい。これは、移動体通信網６０では、発信側携帯電話機５０の電話番号とメッセージＮＯとが判明すれば、着信側携帯電話機５０からアップロードされた情報に基づいて課金処理を行うことができるためである。
【００８９】
次に、図１１を参照して、移動通信端末を、上述した第２実施形態における携帯電話機５０として機能させるためのプログラムについて説明する。図１１に示すように、プログラム１００は、移動通信端末を、着信側携帯電話機５０として機能させるための呼出信号受信モジュール１１１と、音声ガイダンス送信モジュール１１２と、回線切替指示送信モジュール１１３と、映像メッセージ送信モジュール１１４と、課金情報生成モジュール１１５と、課金情報送信モジュール１１６とを有する。呼出信号受信モジュール１１１、音声ガイダンス送信モジュール１１２、回線切替指示送信モジュール１１３、映像メッセージ送信モジュール１１４、課金情報生成モジュール１１５および課金情報送信モジュール１１６がコンピュータに行わせる機能は、それぞれ上述した呼出信号受信部５１１、音声ガイダンス送信部５１２、回線切替指示送信部５１３、映像メッセージ送信部５１４、課金情報生成部５１５および課金情報送信部５１６が有する機能と同様である。
【００９０】
また、プログラム１００は、移動通信端末を、発信側携帯電話機５０として機能させるための発信要求送信モジュール１２１と、音声ガイダンス受信モジュール１２２と、再生指示送信モジュール１２３と、映像メッセージ受信モジュール１２４とを有する。発信要求送信モジュール１２１、音声ガイダンス受信モジュール１２２、再生指示送信モジュール１２３および映像メッセージ受信モジュール１２４がコンピュータに行わせる機能は、それぞれ上述した発信要求送信部５２１、音声ガイダンス受信部５２２、再生指示送信部５２３および映像メッセージ受信部５２４が有する機能と同様である。
【００９１】
なお、上述した各実施形態における通信システム１，２では、通信回線を音声通信回線からテレビ電話回線に切り替えているが、必ずしも通信回線を切り替えることを要しない。例えば、発信側と着信側の携帯電話機に搭載されたテレビ電話機能を用いることによって互いに映像メッセージを送受信することとしてもよい。
【図面の簡単な説明】
【００９２】
【図１】第１実施形態における通信システムのシステム構成を示す図である。
【図２】図１に示す映像メッセージ送信支援装置の機能構成を示すブロック図である。
【図３】映像メッセージデータベースのデータ構成を示す図である。
【図４】送信許容情報データベースのデータ構成を示す図である。
【図５】第１実施形態における通信システムの動作を示すシーケンス図である。
【図６】第２実施形態における通信システムのシステム構成を示す図である。
【図７】図６に示す携帯電話機の機能構成を示すブロック図である。
【図８】アドレス帳情報データベースのデータ構成を示す図である。
【図９】図６に示す移動体通信網の機能構成を示すブロック図である。
【図１０】第２実施形態における通信システムの動作を示すフローチャートである。
【図１１】第２実施形態における携帯電話機として機能させるためのプログラムのモジュール構成を示すブロック図である。
【符号の説明】
【００９３】
１，２・・・通信システム、１０・・・映像メッセージ送信支援装置、１１・・・発信要求受信部、１２・・・呼出信号送信部、１３・・・応答判定部、１４・・・音声ガイダンス送信部、１５・・・回線切替部、１６・・・映像メッセージ送信部、１７・・・課金部、１Ａ・・・映像メッセージデータベース、１Ｂ・・・送信許容情報データベース、２０，５０・・・発信側および着信側携帯電話機、５１・・・着信側機能、５２・・・発信側機能、５１１・・・呼出信号受信部、５１２・・・音声ガイダンス送信部、５１３・・・回線切替指示送信部、５１４・・・映像メッセージ送信部、５１５・・・課金情報生成部、５１６・・・課金情報送信部、５２１・・・発信要求送信部、５２２・・・音声ガイダンス受信部、５２３・・・再生指示送信部、５２４・・・映像メッセージ受信部、５Ａ・・・映像メッセージデータベース、５Ｂ・・・アドレス帳情報データベース、６０・・・移動体通信網、６１・・・発信要求受信部、６２・・・呼出信号送信部、６３・・・回線切替部、６４・・・課金部。
【図１】
2006109095.tif 000003
【図２】
2006109095.tif 000004
【図３】
2006109095.tif 000005
【図４】
2006109095.tif 000006
【図５】
2006109095.tif 000007
【図６】
2006109095.tif 000008
【図７】
2006109095.tif 000009
【図８】
2006109095.tif 000010
【図９】
2006109095.tif 000011
【図１０】
2006109095.tif 000012
【図１１】
2006109095.tif 000013